(57)【要約】【課題】保存した映像を保護する操作が簡単で、かつ、保護解除用媒体を紛失しても再作成可能とし保存映像の再生を可能とする。【解決手段】映像用記憶装置４に保存する映像ファイル４ａの保護用情報を不揮発性メモリ５に設定プロテクト情報５ｂとして登録し、映像ファイル４ａを保存する際にメモリカード６に保護解除用情報を保護データ６ａとして記録し、映像ファイル４ａを再生する際に、メモリカード６の保護データ６ａと設定プロテクト情報５ｂとを照合して再生の可否を判定する。設定プロテクト情報５ｂに登録する再生許可条件として、メモリカード６の保護データ６ａに、映像ファイル４ａのファイル名、又は、映像ファイル４ａの一部を切り取った分割映像ファイルが記録されていた場合、あるいは、保存時に装着されていたメモリカード６と同一の型番、メーカ名又はシリアル番号のメモリカード６が装着されていた場合のいずれかをユーザが選択可能とする。【選択図】        図１
2005026787.tif 000002
【特許請求の範囲】
【請求項１】
動画及び／又は静止画を録画保存することができる録画装置において、動画及び／又は静止画を映像ファイルとして録画保存する大容量の映像用記憶装置と、該映像用記憶装置に録画保存した映像ファイルの機密を保護するためのプロテクト情報を、ユーザの指示に基づいて設定プロテクト情報として設定登録するための設定プロテクト情報用記憶装置と、前記映像用記憶装置に録画保存する映像ファイルの機密保護状態を解除するために用いられる保護データを書き込む着脱自在な保護データ用記録媒体と、を備えていることを特徴とする録画装置。
【請求項２】
請求項１に記載の録画装置において、前記映像用記憶装置に機密保護対象となる映像ファイルを録画保存する際に装着されている前記保護データ用記録媒体に書き込む前記保護データとして、当該映像ファイルのファイル名と同一のファイル名を書き込み、録画保存する際に前記設定プロテクト情報用記憶装置に設定登録される前記設定プロテクト情報として、前記映像用記憶装置の当該映像ファイルの再生を指示された際に装着された前記保護データ用記録媒体の前記保護データが、再生指示された当該映像ファイルと同一のファイル名であった場合に再生を許可することを示すプロテクト情報であることを特徴とする録画装置。
【請求項３】
請求項２に記載の録画装置において、前記保護データとして、再生指示された前記映像ファイルと同一のファイル名を有する、予め選択された特定パターンのデータからなるファイルを書き込み、前記設定プロテクト情報として、再生指示時に装着された前記保護データ用記録媒体の前記保護データが、再生指示された前記映像ファイルと同一のファイル名であり、かつ、前記特定パターンからなるファイルであった場合に再生を許可することを示す情報であることを特徴とする録画装置。
【請求項４】
請求項１に記載の録画装置において、録画保存する際に前記設定プロテクト情報用記憶装置に設定登録される前記設定プロテクト情報として、前記映像用記憶装置の機密保護対象となる映像ファイルの再生を指示された際に装着された前記保護データ用記録媒体が、前記映像用記録装置に当該映像ファイルを録画保存した際に装着されていた前記保護データ用記録媒体と同一の記録媒体であった場合に再生を許可することを示すプロテクト情報であることを特徴とする録画装置。
【請求項５】
請求項４に記載の録画装置において、前記保護データ用記録媒体と同一の記録媒体であるか否かを示す情報として、前記保護データ用記録媒体を一意に特定することができるシリアル番号、前記保護データ用記録媒体の製造元を示すメーカ名、前記保護データ用記録媒体の種類を示す型番のいずれか１乃至複数を用いることを特徴とする録画装置。
【請求項６】
請求項１に記載の録画装置において、前記映像用記憶装置に機密保護対象となる映像ファイルを録画保存する際に装着されている前記保護データ用記録媒体に書き込む前記保護データとして、当該映像ファイルの一部を切り取った分割映像ファイルを、分割ファイル名を付与して書き込み、前記映像用記憶装置に録画保存される当該映像ファイルとして、前記分割映像ファイルが切り取られた残りの映像ファイルを録画保存し、録画保存する際に前記設定プロテクト情報用記憶装置に設定登録される前記設定プロテクト情報として、前記映像用記憶装置の当該映像ファイルの再生を指示された際に装着された前記保護データ用記録媒体の前記保護データが、再生指示された当該映像ファイルと同一のファイル名の前記分割ファイル名であった場合に再生を許可し、前記保護データの前記分割映像ファイルと前記映像用記憶装置の当該映像ファイルとを合成して再生することを示すプロテクト情報であることを特徴とする録画装置。
【請求項７】
請求項６に記載の録画装置において、前記保護データとして、更に、前記分割映像ファイルのサイズを示す分割サイズ情報を合わせて書き込み、前記設定プロテクト情報として、前記分割ファイル名と同一のファイル名であり、かつ、再生を指示された際に装着された前記保護データ用記録媒体の前記保護データが、再生指示された前記映像ファイルと同一のファイル名の前記分割ファイル名であり、かつ、前記分割サイズ情報と同一のサイズであった場合に、再生を許可し、前記保護データの前記分割映像ファイルと前記映像用記憶装置の当該映像ファイルとを合成して再生することを示す情報であることを特徴とする録画装置。
【請求項８】
請求項６又は７に記載の録画装置において、前記分割映像ファイルとして、前記映像ファイルの一部を切り取る部分が、予め選択された所定のサイズ分の大きさからなる前記映像ファイルの先頭部分であることを特徴とする録画装置。
【請求項９】
請求項６乃至８のいずれか１乃至複数に記載の録画装置において、前記分割映像ファイルに付与される前記分割ファイル名として、当該分割映像ファイルとして一部を切り取る前記映像ファイルのファイル名と同一のファイル名、該映像ファイルのファイル名から予め定められた特定の規則に従って変換された特定変換ファイル名、該映像ファイルのファイル名から乱数を用いてランダムに変換されたランダム変換ファイル名のいずれかを用いることを特徴とする録画装置。
【請求項１０】
請求項１乃至９のいずれか１乃至複数に記載の録画装置において、前記設定プロテクト情報用記憶装置に設定登録すべき前記設定プロテクト情報をユーザが選択して設定することを可能とする案内用選択項目がメニュー形式で画面表示されることを特徴とする録画装置。
【請求項１１】
請求項１乃至１０のいずれか１乃至複数に記載の録画装置において、前記設定プロテクト情報用記憶装置に設定登録された前記設定プロテクト情報によって機密保護された前記映像用記憶装置の映像ファイルは、当該設定プロテクト情報と同一の内容からなる前記保護データが記録されている前記保護データ用記録媒体、又は、前記設定プロテクト情報に設定登録されている前記保護データ用記録媒体と同一の記録媒体が装着されていない限り、前記映像用記憶装置に録画保存されている当該映像ファイルの再生読み出しが禁止されることを特徴とする録画装置。
【請求項１２】
請求項１乃至１１のいずれか１乃至複数に記載の録画装置において、前記映像用記憶装置に映像ファイルを録画保存する際に前記保護データ用記録媒体が装着されていない場合、前記映像用記憶装置に録画保存された当該映像ファイルを再生する際、前記保護データ用記録媒体を装着することなく、当該映像ファイルの再生読み出しが許可されることを特徴とする録画装置。
【請求項１３】
請求項１乃至１２のいずれか１乃至複数に記載の録画装置において、前記設定プロテクト情報用記憶装置に設定登録された前記設定プロテクト情報にアクセスして読み出し又は変更を行なう場合、事前にパスワードによる認証を必要とすることを特徴とする録画装置。
【請求項１４】
請求項１乃至１３のいずれか１乃至複数に記載の録画装置において、前記保護データ用記録媒体が、メモリカード又はＩＣカードからなっていることを特徴とする録画装置。
【請求項１５】
動画及び／又は静止画を撮影し、撮影した動画及び／又は静止画を映像ファイルとして録画保存することができる撮影装置において、映像ファイルを録画保存する録画装置として請求項１乃至１４のいずれか１乃至複数に記載の録画装置が備えられていることを特徴とする撮影装置。
【発明の詳細な説明】
【０００１】
【発明の属する技術分野】
本発明は、録画装置及び撮影装置に関する。
【０００２】
【従来の技術】
パスワードを用いずに機密文書画像の読み出し保護を行なう方法として、特許文献１に示す特開平７−９３５２１号公報「画像ファイル装置の機密保護システム」に記載の技術がある。該特許文献１に記載の技術は、撮影するときには、装着したＩＣカードに予め内蔵されている機密保護パターンを機密保護したい機密文書画像とデジタル的に画像合成することにより、該機密保護パターンを機密文書画像に埋め込んだ状態で保存し、一方、再生するときは、該ＩＣカードを装着して、機密文書画像に埋め込まれた該機密保護パターンと照合することにより、機密文書画像の再生読み出しを保護するというものである。
【０００３】
【特許文献１】
特開平７−９３５２１号公報（第３−第４頁、図５）
【０００４】
【発明が解決しようとする課題】
しかしながら、前記特許文献１に記載の技術は、再生する際に、埋め込まれた機密保護パターンとＩＣカードに内蔵された機密保護パターンとを照合する処理を行なう必要があるため、再生処理が複雑化してしまう。また、機密保護のためのパターンとして別途用意されている機密性が高い機密保護パターンが内蔵されたＩＣカードを紛失してしまった場合、その機密性の高さゆえに、撮影した機密文書画像を再生する術を完全に失ってしまう。
一方、例えば、個人用として使用するカメラにより撮影する映像のような場合であれば、第三者に見られたくない映像であったとしても、殆どの場合、撮影した映像の視聴に対して料金が発生することがないものであり、前記特許文献１のごとき厳重で確実な機密保護を施す必要性は低く、たとえ機密保護用のＩＣカードを紛失したような場合であっても、何らかの救済措置を用意しておくべきである。
【０００５】
また、大容量化が可能で、かつ、ノンリニアアクセスが可能な記憶装置（例えば、ＨＤＤ、ＤＶＤ）に撮影した映像を録画保存する録画機能一体型のカメラによって映像を撮影するような場合、記録媒体がテープメディアからなっている場合とは異なり、録画済みの映像ファイルを視聴する場合に記録媒体を巻き戻す必要がないため、第三者に見られたくない映像をカメラ撮影中において僅かの間でも席を外すようなことがあると、第三者に撮影済みの映像内容を簡単に見られてしまうことがあり得るし、しかも、第三者が視聴したという痕跡も残されていない状況を招いてしまう。
【０００６】
本発明は、かくのごとき事情に鑑みてなされたものであり、録画保存した映像ファイルの機密保護状態を設定解除するためにメモリカードやＩＣカードのような着脱自在な記録媒体を用いる場合に、該記録媒体を紛失することがあったとしても、機密保護されている映像ファイルを再生可能とすると共に、ノンリニアアクセス可能な映像用記憶装置に映像ファイルを録画保存するような録画装置及び撮影装置において、短い時間の間中座するような場合があっても、録画保存されている撮影済みの映像ファイルを第三者が容易には再生することができないように、映像ファイルを簡便に機密保護することを可能にする手段を提供することを目的としている。
なお、録画保存した映像ファイルを機密保護する方式として、パスワード入力方式を用いることとしても同様に保護することが可能ではあるが、かかるパスワード入力方式を適用した場合、当事者自らが撮影済みの録画映像を再生するときにも、パスワードを入力する手間がかかり、操作が煩雑化する。本発明は、実装が容易で、かつ、より簡単な操作で、録画映像に対する機密保護の設定及び解除を行なうことを可能とする録画装置及び撮影装置の実現を目的とするものである。
【０００７】
【課題を解決するための手段】
第１の技術手段は、動画及び／又は静止画を録画保存することができる録画装置において、動画及び／又は静止画を映像ファイルとして録画保存する大容量の映像用記憶装置と、該映像用記憶装置に録画保存した映像ファイルの機密を保護するためのプロテクト情報を、ユーザの指示に基づいて設定プロテクト情報として設定登録するための設定プロテクト情報用記憶装置と、前記映像用記憶装置に録画保存する映像ファイルの機密保護状態を解除するために用いられる保護データを書き込む着脱自在な保護データ用記録媒体と、を備えている録画装置とすることを特徴とするものである。
【０００８】
第２の技術手段は、前記第１の技術手段に記載の録画装置において、前記映像用記憶装置に機密保護対象となる映像ファイルを録画保存する際に装着されている前記保護データ用記録媒体に書き込む前記保護データとして、当該映像ファイルのファイル名と同一のファイル名を書き込み、録画保存する際に前記設定プロテクト情報用記憶装置に設定登録される前記設定プロテクト情報として、前記映像用記憶装置の当該映像ファイルの再生を指示された際に装着された前記保護データ用記録媒体の前記保護データが、再生指示された当該映像ファイルと同一のファイル名であった場合に再生を許可することを示すプロテクト情報である録画装置とすることを特徴とするものである。
【０００９】
第３の技術手段は、前記第２の技術手段に記載の録画装置において、前記保護データとして、再生指示された前記映像ファイルと同一のファイル名を有する、予め選択された特定パターンのデータからなるファイルを書き込み、前記設定プロテクト情報として、再生指示時に装着された前記保護データ用記録媒体の前記保護データが、再生指示された前記映像ファイルと同一のファイル名であり、かつ、前記特定パターンからなるファイルであった場合に再生を許可することを示す情報である録画装置とすることを特徴とするものである。
【００１０】
第４の技術手段は、前記第１の技術手段に記載の録画装置において、録画保存する際に前記設定プロテクト情報用記憶装置に設定登録される前記設定プロテクト情報として、前記映像用記憶装置の機密保護対象となる映像ファイルの再生を指示された際に装着された前記保護データ用記録媒体が、前記映像用記憶装置に当該映像ファイルを録画保存した際に装着されていた前記保護データ用記録媒体と同一の記録媒体であった場合に再生を許可することを示すプロテクト情報である録画装置とすることを特徴とするものである。
【００１１】
第５の技術手段は、前記第４の技術手段に記載の録画装置において、前記保護データ用記録媒体と同一の記録媒体であるか否かを示す情報として、前記保護データ用記録媒体を一意に特定することができるシリアル番号、前記保護データ用記録媒体の製造元を示すメーカ名、前記保護データ用記録媒体の種類を示す型番のいずれか１乃至複数を用いる録画装置とすることを特徴とするものである。
【００１２】
第６の技術手段は、前記第１の技術手段に記載の録画装置において、前記映像用記憶装置に機密保護対象となる映像ファイルを録画保存する際に装着されている前記保護データ用記録媒体に書き込む前記保護データとして、当該映像ファイルの一部を切り取った分割映像ファイルを、分割ファイル名を付与して書き込み、前記映像用記憶装置に録画保存される当該映像ファイルとして、前記分割映像ファイルが切り取られた残りの映像ファイルを録画保存し、録画保存する際に前記設定プロテクト情報用記憶装置に設定登録される前記設定プロテクト情報として、前記映像用記憶装置の当該映像ファイルの再生を指示された際に装着された前記保護データ用記録媒体の前記保護データが、再生指示された当該映像ファイルと同一のファイル名の前記分割ファイル名であった場合に再生を許可し、前記保護データの前記分割映像ファイルと前記映像用記憶装置の当該映像ファイルとを合成して再生することを示すプロテクト情報である録画装置とすることを特徴とするものである。
【００１３】
第７の技術手段は、前記第６の技術手段に記載の録画装置において、前記保護データとして、更に、前記分割映像ファイルのサイズを示す分割サイズ情報を合わせて書き込み、前記設定プロテクト情報として、前記分割ファイル名と同一のファイル名であり、かつ、再生を指示された際に装着された前記保護データ用記録媒体の前記保護データが、再生指示された前記映像ファイルと同一のファイル名の前記分割ファイル名であり、かつ、前記分割サイズ情報と同一のサイズであった場合に、再生を許可し、前記保護データの前記分割映像ファイルと前記映像用記憶装置の当該映像ファイルとを合成して再生することを示す情報である録画装置とすることを特徴とするものである。
【００１４】
第８の技術手段は、前記第６又は第７の技術手段に記載の録画装置において、前記分割映像ファイルとして、前記映像ファイルの一部を切り取る部分が、予め選択された所定のサイズ分の大きさからなる前記映像ファイルの先頭部分である録画装置とすることを特徴とするものである。
【００１５】
第９の技術手段は、前記第６乃至第８の技術手段のいずれか１乃至複数に記載の録画装置において、前記分割映像ファイルに付与される前記分割ファイル名として、当該分割映像ファイルとして一部を切り取る前記映像ファイルのファイル名と同一のファイル名、該映像ファイルのファイル名から予め定められた特定の規則に従って変換された特定変換ファイル名、該映像ファイルのファイル名から乱数を用いてランダムに変換されたランダム変換ファイル名のいずれかを用いる録画装置とすることを特徴とするものである。
【００１６】
第１０の技術手段は、前記第１乃至第９の技術手段のいずれか１乃至複数に記載の録画装置において、前記設定プロテクト情報用記憶装置に設定登録すべき前記設定プロテクト情報をユーザが選択して設定することを可能とする案内用選択項目がメニュー形式で画面表示される録画装置とすることを特徴とするものである。
【００１７】
第１１の技術手段は、前記第１乃至第１０の技術手段のいずれか１乃至複数に記載の録画装置において、前記設定プロテクト情報用記憶装置に設定登録された前記設定プロテクト情報によって機密保護された前記映像用記憶装置の映像ファイルは、当該設定プロテクト情報と同一の内容からなる前記保護データが記録されている前記保護データ用記録媒体、又は、前記設定プロテクト情報に設定登録されている前記保護データ用記録媒体と同一の記録媒体が装着されていない限り、前記映像用記憶装置に録画保存されている当該映像ファイルの再生読み出しが禁止される録画装置とすることを特徴とするものである。
【００１８】
第１２の技術手段は、前記第１乃至第１１の技術手段のいずれか１乃至複数に記載の録画装置において、前記映像用記憶装置に映像ファイルを録画保存する際に前記保護データ用記録媒体が装着されていない場合、前記映像用記憶装置に録画保存された当該映像ファイルを再生する際、前記保護データ用記録媒体を装着することなく、当該映像ファイルの再生読み出しが許可される録画装置とすることを特徴とするものである。
【００１９】
第１３の技術手段は、前記第１乃至第１２の技術手段のいずれか１乃至複数に記載の録画装置において、前記設定プロテクト情報用記憶装置に設定登録された前記設定プロテクト情報にアクセスして読み出し又は変更を行なう場合、事前にパスワードによる認証を必要とする録画装置とすることを特徴とするものである。
【００２０】
第１４の技術手段は、前記第１乃至第１３の技術手段のいずれか１乃至複数に記載の録画装置において、前記保護データ用記録媒体が、メモリカード又はＩＣカードからなっている録画装置とすることを特徴とするものである。
【００２１】
第１５の技術手段は、動画及び／又は静止画を撮影し、撮影した動画及び／又は静止画を映像ファイルとして録画保存することができる撮影装置において、映像ファイルを録画保存する録画装置として前記第１乃至第１４の技術手段のいずれか１乃至複数に記載の録画装置が備えられている撮影装置とすることを特徴とするものである。
【００２２】
【発明の実施の形態】
以下に、本発明に係る録画装置及び撮影装置の実施形態の一例について、図面を参照しながら説明する。
本発明に係る録画装置及び撮影装置は、ノンリニアアクセスが可能な大容量の映像用記憶装置（例えば、ＨＤＤ、ＤＶＤ）を備えた録画装置及び撮影装置において、該映像用記憶装置に保存される記憶内容、例えば、映像ファイルとして録画保存される動画及び／又は静止画を、着脱自在な保護データ用記録媒体例えば小型のメモリカード等を利用して機密保護するものである。ここで、着脱自在な保護データ用記録媒体例えばメモリカード（以下、メモリカードを例にとって説明することとし、「メモリカード」と記述する）には、映像用記憶装置に録画保存する映像ファイルの機密保護状態を解除するために用いられる保護データが書き込まれるが、該保護データによって機密保護する保護方法や保護レベルをユーザが任意に選択することができる。
【００２３】
即ち、たとえ、機密保護を解除するための保護データが書き込まれたメモリカードを紛失したとしても、映像用記憶装置に録画保存された映像ファイルの再生が可能な保護レベルに始まり、一旦該メモリカードを紛失すると、録画保存された映像ファイルの再生が絶対に不可能になる保護レベルに至るまで、複数の保護レベルが予め用意されている。ユーザは、表示部にメニュー形式で画面表示された案内用選択項目を参照しながら、所望する任意の保護方法や保護レベルを選択して設定登録することができる。
【００２４】
ここで、映像用記憶装置に録画保存された映像ファイルを保護する保護方法としては、以下のもののうちいずれかをユーザは選択することができる。
【００２５】
（方法１）：映像用記憶装置に録画保存した機密保護対象の映像ファイルを再生する際に、再生指示された映像用記憶装置の映像ファイルと同名のファイル名が、装着したメモリカードに記録されていないと、当該映像ファイルを再生することができないものとする保護方法である。当該保護方法においては、当該映像ファイルを録画保存した際に装着していたメモリカードを紛失したとしても、パーソナルコンピュータＰＣ等を用いて再生しようとする映像用記憶装置の映像ファイルと同名のファイル名を記録したメモリカードを新たに作成すれば、当該映像ファイルの再生が可能である。
【００２６】
（方法２）：機密保護対象の映像ファイルとして映像用記憶装置に録画保存したときに装着していたメモリカードの製造番号を記憶しておき、製造番号が一致するメモリカード、即ち、録画保存した際に装着していたメモリカードと同一のメモリカードが装着されない限り、再生指示された映像用記憶装置の映像ファイルは再生することができないものとする保護方法である。当該保護方法においては、メモリカードの製造番号の選択如何によっては、たとえ、当該映像ファイルを録画保存する際に装着していたメモリカードを紛失したとしても、当該映像ファイルの再生が可能である。
【００２７】
（方法３）：映像用記憶装置に録画保存する際に、映像ファイルの一部を切り取って、分割映像ファイルとしてメモリカードに書き込み、切り取られた残りの映像ファイルを映像用記憶装置に録画保存し、再生時には、該メモリカードの分割映像ファイルと映像用記憶装置の残りの映像ファイルとを連続した一つの映像ファイルとして合成する。即ち、メモリカードに書き込まれた分割映像ファイルがない限り、映像用記憶装置に録画保存された残りの映像ファイルの内容を理解することができなく、再生することができないように、映像ファイルを２つに分割して、別々に録画保存することとする保護方法である。
【００２８】
図１は、本発明に係る撮影装置の一実施例を示すブロック構成図であり、カメラ一体型ＶＴＲを例に取って示している。即ち、撮影した映像を映像ファイルとして映像用記憶装置に録画保存する場合における機密保護に関連する録画機能回路部を中心に示している。図１に示す撮影装置１０は、動画及び／又は静止画を撮影する撮影部１と、撮影した動画及び／又は静止画や録画保存した映像ファイル（動画及び／又は静止画のファイル）を画面表示する表示部２と、ユーザの操作情報を入力する操作部３と、撮影した動画及び／又は静止画を映像ファイルとして録画保存する録画装置１５とを備えている。
【００２９】
録画装置１５は、撮影した動画及び／又は静止画を映像ファイル４ａとして録画保存する大容量の映像用記憶装置４と、録画保存する映像ファイル４ａ（被プロテクトファイル）の機密を保護するためのプロテクト情報（機密保護方法や機密保護用の保護レベル即ち設定データなど）をユーザが選択して設定するために、表示部２にメニュー形式で画面表示する案内用選択項目が格納されているプロテクト情報テーブル５ａと、該プロテクト情報テーブル５ａがメニュー形式で画面表示された案内用選択項目に基づいてユーザにより選択された機密保護方法や機密保護レベル用の設定データなどのプロテクト情報を設定登録する設定プロテクト情報５ｂと、を記憶する不揮発性の設定プロテクト情報用記憶装置即ち不揮発性メモリ５と、映像用記憶装置４に録画保存する映像ファイル４ａに関する機密保護の設定を解除するための保護データ６ａ（プロテクト設定解除ファイル）が書き込まれる着脱自在な保護データ用記録媒体例えばメモリカード６と、映像用記憶装置４への映像ファイル４ａの録画保存及び再生の際の機密保護を制御する録画再生制御部７（言い換えれば、設定プロテクト情報作成・再生判断部）とを備えている。
【００３０】
即ち、録画再生制御部７は、機密保護対象の映像の撮影に先立って、ユーザが、操作部３を操作して、表示部２に画面表示させたプロテクト情報テーブル５ａのメニュー形式の案内用選択項目に基づいて、今回撮影して映像用記憶装置４に録画保存しようとしている映像ファイル４ａに関する機密保護方法を選択し、選択した機密保護方法における機密保護レベルを示す設定データなどを生成して、設定プロテクト情報５ｂに設定登録すると共に、撮影した動画及び／又は静止画を映像ファイル４ａとして映像用記憶装置４に録画保存する際に装着されているメモリカード６に、該映像ファイル４ａに設定されている機密保護状態を解除するために必要とする情報を保護データ６ａとして書き込む一方、ユーザが、操作部３を操作して、映像用記憶装置４に録画保存している機密保護対象の映像ファイル４ａの再生指示をした際に、装着されているメモリカード６の保護データ６ａと設定プロテクト情報５ｂとを参照しながら、機密保護を解除する条件が成立しているか否かを判定して、映像ファイル４ａの再生を行なうことを制御している。
【００３１】
なお、図示していないが、本撮影装置１０には、例えば、テレビ受像機やパーソナルコンピュータＰＣなどの外部装置と接続してデータの転送を行なうためのデータ転送部を備えていても良く、例えば、映像用記憶装置４に録画保存されている映像ファイル４ａをデータ転送部からテレビ受像機やＰＣなどの外部装置に送信したり、逆に、外部装置から映像を転送して映像用記憶装置４に録画保存したり、あるいは、プロテクト情報テーブル５ａなどに設定する情報を転送して不揮発性メモリ５に書き込むことも可能であるが、以下では、説明を簡単にするために、かかるデータ転送部に関する記述は省略する。
【００３２】
図１において、撮影部１により撮影された動画及び／又は静止画は、ユーザにより予め選択されて設定登録された設定プロテクト情報５ｂを参照しながら動作する録画再生制御部７の制御に基づいて、例えば、機密保護対象となる被プロテクトファイルの映像ファイル４ａとして、ノンリニアアクセス可能な大容量の映像用記憶装置４（例えば、ＨＤＤ）に録画保存される。ここで、ユーザは、撮影を先立って、操作部３を操作して、不揮発性メモリ５に記憶されているプロテクト情報テーブル５ａの案内用選択項目を表示部２に画面表示させて、所望の機密保護方法を選択して予め不揮発性メモリ５の設定プロテクト情報５ｂに設定登録している。
【００３３】
従って、映像用記憶装置４に被プロテクトファイルの映像ファイル４ａを録画保存する際には、録画再生制御部７は、設定プロテクト情報５ｂに予め設定登録されている機密保護方法に基づいて機密保護用の制御を行ない、場合によっては、メモリカード６にアクセスして当該メモリカード６の製造番号を読み出したりすることにより、録画保存する映像ファイル４ａに関する機密保護用のプロテクト情報を抽出生成して、不揮発性メモリ５の設定プロテクト情報５ｂに設定登録すると同時に、メモリカード６にプロテクト設定解除用の保護データ６ａ（例えば、映像ファイル４ａのファイル名など）を書き込むと共に、被プロテクトファイルの映像ファイル４ａを映像用記憶装置４に録画保存させる。
【００３４】
また、ユーザが、操作部３を操作して、映像用記憶装置４に録画保存されている映像ファイル４ａを読み出して例えば表示部２に表示する際には、録画再生制御部７は、再生読み出しの対象としている映像ファイル４ａに関して、設定プロテクト情報５ｂに予め設定されている機密保護方法に基づいて機密保護用の制御を行ない、メモリカード６にアクセスしてプロテクト設定解除ファイルとして書き込まれている保護データ６ａ（例えば、映像ファイル４ａのファイル名など）やメモリカード６の製造番号を読み出すと共に、設定プロテクト情報５ｂに設定登録されている機密保護用のプロテクト情報（例えば、映像ファイル４ａのファイル名やメモリカード６の製造番号など）を読み出して、メモリカード６からの保護データ６ａやメモリカード６の製造番号との照合を行ない、機密保護を解除すべき条件が成立していた場合には、読み出した映像ファイル４ａを表示部２に画面表示させる。
【００３５】
ユーザは、前述のように、操作部３を操作して、表示部２にメニュー表示された案内用選択項目に従って、これから撮影する映像をどの保護方式によってプロテクトするのかを予め選択して不揮発性メモリ５の設定プロテクト情報５ｂに設定登録することができる。図２は、ユーザが設定プロテクト情報５ｂに機密保護方法や機密保護レベルを選択設定するために順次メニュー表示される案内用選択項目の一例を示す概念図である。図２に示すように、ユーザが、撮影に先立って、まず、操作部３を操作して、表示部２に設定項目保護２０と保護方法３０とを表示させる。ここで、保護方法３０としては、同名ファイル３１と製造番号３２とファイル分割３３との各選択項目が同時に表示されており、ユーザは、操作部３を操作して、いずれかの選択項目を選択することができる。
【００３６】
同名ファイル３１とは、前述した保護方法の（方法１）に相当するものであり、映像用記憶装置４に録画保存した映像ファイル４ａと同一のファイル名が保護データ６ａとして書き込まれているメモリカード６を装着することによって、当該映像ファイル４ａの再生を許可する機密保護方法を選択するものである。製造番号３２とは、前述した保護方法の（方法２）に相当するものであり、装着されたメモリカード６が映像用記憶装置４に映像ファイル４ａを録画保存した際に装着されていたメモリカード６と同一のメモリカード、即ち、装着されていたメモリカード６の製造番号と同一の製造番号であった場合に、当該映像ファイル４ａの再生を許可する機密保護方法を選択するものである。また、ファイル分割３３とは、前述した保護方法の（方法３）に相当するものであり、映像用記憶装置４に録画保存すべき映像ファイル４ａの一部が切り取られた状態で録画保存される一方、切り取られた一部の映像ファイルは分割映像ファイルとしてメモリカード６に書き込まれて、再生する際に、メモリカード６の分割映像ファイルと合成して初めて映像ファイル４ａが正しく再生されるという機密保護方法を選択するものである。
【００３７】
更に、機密保護レベルを変更させる必要がある場合には、図２に示す破線のような選択項目をユーザに更に選択させることも可能である。例えば、ユーザが、操作部３を操作して、「同名ファイル３１」を選択した場合、更に、ダミーパターン３１ａと特定パターン３１ｂとを表示部２に表示し、ユーザが特定パターン３１ｂを選択して、特定のパターン（特定文字列）を設定プロテクト情報５ｂに予め設定登録することが可能である。ユーザが特定パターンを設定プロテクト情報５ｂとして設定登録した場合は、メモリカード６に保護データ６ａとして書き込むべきプロテクト設定解除ファイルとして、映像ファイル４ａのファイル名のみならず、設定プロテクト情報５ｂに設定登録されている特定パターンからなるファイルも書き込まれているメモリカード６が装着されない限り、映像ファイル４ａの再生読み出しを行なうことができない状態に設定することとするものであり、機密保護レベルを変更して設定することが可能である。
【００３８】
なお、「同名ファイル３１」を選択した場合はいずれの場合であっても、映像ファイル４ａを映像用記憶装置４に録画保存する際に装着していたメモリカード６を紛失したとしても、録画保存されている映像ファイル４ａのファイル名を、場合によっては特定パターンをも含めて、ユーザが記憶している限り、改めて、かかる情報を書き込んだ代替のメモリカードを作成しさえすれば、録画保存されている映像ファイル４ａを読み出して再生することが可能である。
【００３９】
また、ユーザが、操作部３を操作して、「製造番号３２」を選択した場合、更に、同一のメモリカードであるか否かを識別するためのメモリカード６の製造番号として、例えば、メーカ名（メーカＩＤ）３２ａと、メモリカード６の種類を示す型番３２ｂと、シリアル番号３２ｃとを表示部２に表示し、メーカ名３２ａ、型番３２ｂ、シリアル番号３２ｃのいずれか１乃至複数を選択して設定プロテクト情報５ｂに予め設定登録することが可能であり、設定プロテクト情報５ｂに予め設定登録されている情報と同一の製造番号のメモリカード６が装着されない限り、映像ファイル４ａの再生読み出しを行なうことができない状態に設定することとするものであり、機密保護レベルを変更して設定することが可能である。
【００４０】
ここで、例えば、メモリカード６の製造番号として、メモリカード６を一意に特定することができるシリアル番号３２ｃを含む情報を選択した場合、映像ファイル４ａを映像用記憶装置４に録画保存する際に装着していたメモリカード６を紛失した場合には、二度と録画保存した映像ファイル４ａを読み出して再生することができなくなってしまう。
【００４１】
一方、メモリカード６の製造番号として、シリアル番号３２ｃを含まずに、メモリカード６の製造元を示すメーカ名３２ａとメモリカード６の種類を示す型番３２ｂとを含む情報を選択した場合、ユーザは、同一製造メーカ製の同一種類のメモリカード６を複数枚購入して用意しておけば、たとえ、映像ファイル４ａを映像用記憶装置４に録画保存する際に装着していたメモリカード６を紛失したとしても、代替のメモリカード６を装着することにより、録画保存されている映像ファイル４ａを読み出して再生することが可能である。更には、メモリカード６の製造番号として、シリアル番号３２ｃを含まずに、製造メーカを示すメーカ名（メーカＩＤ）３２ａのみの情報を選択した場合、機密保護レベルを更に緩和する場合であり、型番や記憶容量が異なるメモリカードであっても、同一製造メーカのメモリカードを用意して装着することにより、録画保存されている映像ファイル４ａを読み出して再生することが可能である。
【００４２】
なお、「製造番号３２」を選択した場合に、選択する案内用選択項目として、メーカ名３２ａ、型番３２ｂ、シリアル番号３２ｃを表示する場合について示したが、かかる場合のみに限ることなく、例えば、メモリカード６の記憶容量など異なる情報を追加あるいは入れ替えて用いることとしても良い。また、前述のように、機密保護対象の映像ファイルを録画保存する都度、案内用選択項目を表示させて、メーカ名３２ａ、型番３２ｂ、シリアル番号３２ｃなどのいずれか１乃至複数をユーザが選択して指定することも可能であるが、撮影装置１０に予めデフォルト値として、例えば、製造番号としてシリアル番号３２ｃを用いる状態に設定しておき、ユーザが必要に応じて設定内容を変更するようにしても構わない。
【００４３】
また、ユーザが、操作部３を操作して、「ファイル分割３３」を選択した場合、更に、分割ファイル名３３ａとサイズ確認３３ｂとを表示部２に表示し、メモリカード６に保護データ６ａとして書き込むべきプロテクト設定解除ファイルとして、分割して書き込む分割映像ファイルのファイル名即ち分割ファイル名３３ａのみならず、場合によっては、分割して書き込む分割映像ファイルのサイズ即ち分割サイズ情報を確認することを指示するサイズ確認３３ｂを設定プロテクト情報５ｂに予め設定登録することが可能であり、設定プロテクト情報５ｂに予め設定登録されているプロテクト情報（即ち、分割ファイル名、更に、場合によっては、分割映像ファイルのサイズを示す分割サイズ情報）と同一の分割ファイル名やファイルサイズからなる分割映像ファイルの保護データ６ａが書き込まれているメモリカード６が装着されない限り、映像ファイル４ａの再生読み出しを行なうことができない状態に設定することとするものであり、機密保護レベルを変更して設定することが可能である。
【００４４】
メモリカード６に保護データ６ａとして分割して書き込む分割映像ファイルのファイル名を指定するための分割ファイル名３３ａとしては、同一ファイル名３３ａ１、特定変換ファイル名３３ａ２、ランダム変換ファイル名３３ａ３のいずれかを選択することが可能である。同一ファイル名３３ａ１は、当該分割映像ファイルとして一部が切り取られた状態で映像用記憶装置４に録画保存されている映像ファイル４ａのファイル名と同一のファイル名を付与することを指定する場合である。特定変換ファイル名３３ａ２は、録画保存する映像ファイル４ａのファイル名を予め定められた特定の規則に従って変換して生成したファイル名を付与することを指定する場合であり、映像用記憶装置４に録画保存する映像ファイル４ａのファイル名からは類推され難いファイル名を付与することができる。また、ランダム変換ファイル名３３ａ３は、録画保存する映像ファイル４ａのファイル名を乱数を用いてランダムに変換して生成したファイル名を付与することを指定する場合であり、特定変換ファイル名３３ａ２の場合よりも更に類推され難いファイル名を付与することができ、機密性がより高くなる。
【００４５】
また、サイズ確認３３ｂのＯＮを選択して、分割映像ファイルのファイルサイズ（分割サイズ情報）を設定プロテクト情報５ｂに設定登録するように指定した場合は、前述のように、設定プロテクト情報５ｂに分割映像ファイルのファイルサイズが分割サイズ情報として設定登録されて、再生する際に、メモリカード６に保護データ６ａとして記録されている分割映像ファイルのファイル名のみならず、分割サイズ情報も合わせて確認されることにより、分割映像ファイルをメモリカード６上に別途作成することがより困難になり、映像用記憶装置４に録画保存する映像ファイル４ａの機密性をより高めることができる。
【００４６】
なお、映像ファイル４ａから分割してメモリカード６に書き込む分割映像ファイルとしては、例えば、映像ファイル４ａの先頭部分（ユーザにより予め選択された所定のサイズ分の大きさからなる先頭部分）を切り取って分割したものを用いることとし、映像用記憶装置４に録画保存される映像ファイル４ａは、先頭部分が切り取られた状態で録画保存される状態としても良い。かくのごとく、映像ファイル４ａの先頭部分を切り取ることとする理由は、映像用記憶装置４に録画保存される先頭部分がない映像ファイル４ａは、該映像ファイル４ａ単独では全く再生することができない映像ファイルとすることができるためである。例えば、ＭＰＥＧフォーマットなどに準拠する映像ファイルの場合、途中や最終の一部分が存在していなくても、その存在しなくなる部分までの映像は正しく再生することができるが、先頭部分がない状態にあっては、その映像ファイルの先頭から全く再生することができなくなる。即ち、映像ファイル４ａを分割して一部例えば先頭部分を削除することにより、単独では全く再生することができない映像ファイル４ａとして映像用記憶装置４に録画保存することとし、メモリカード６に保護データ６ａとして書き込まれた分割映像ファイルと合成して初めて再生することが可能となる。
【００４７】
一方、設定項目保護２０としては、ＯＮとＯＦＦとの選択項目が合わせて表示されており、例えば、ＯＮを選択すると、保護方法３０の選択及び設定結果として設定プロテクト情報５ｂに設定登録されているプロテクト情報をも保護する状態に設定することが可能であり、例えば、事前にパスワードによる認証を必要とすることとして、予め登録されている正しいパスワードを入力しない限り、設定プロテクト情報５ｂへのアクセス（読み出しや変更書き込み）が一切禁止される状態に設定され、機密保護レベルを更に高く設定することが可能である。
【００４８】
図３には、図２に示すメニュー表示の案内用選択項目に従って、ユーザが、不揮発性メモリ５に設定登録した設定プロテクト情報５ｂの登録例を示している。図３の設定プロテクト情報５ｂに示す番号５ｂ１と、保護方法５ｂ２とは、それぞれ、映像用記憶装置４に録画保存される各映像ファイル４ａを識別する番号と、各映像ファイル４ａ毎の機密保護方法とを示すものである。
【００４９】
また、設定データ５ｂ３と、設定サイズ５ｂ４とは、それぞれの映像ファイル４ａに対する機密保護用のプロテクト情報（機密保護レベルを設定している情報）を示すものであり、設定データ５ｂ３は、例えば、保護方法３０として同名ファイル３１を選択した場合には、メモリカード６に書き込まれる特定パターン（特定の文字列）やダミーパターンの旨を示す情報を、又は、保護方法３０として製造番号３２を選択した場合には、装着されていたメモリカード６の製造番号を、又は、保護方法３０としてファイル分割３３を選択した場合には、メモリカード６に書き込まれた分割映像ファイルのファイル名である分割ファイル名などを設定登録し、設定サイズ５ｂ４は、保護方法３０としてファイル分割３３を選択した場合に、分割してメモリカード６に保護データ６ａとして書き込んだ分割映像ファイルのファイルサイズを示す分割サイズ情報を設定登録している。
更に、図３の設定プロテクト情報５ｂに示すメモリカード装着情報５ｂ５は、映像ファイルを録画保存する際に、機密保護用としてメモリカード６が撮影装置１０に装着されているか否かを示す情報であり、“０”は装着されていない場合を示し、“１”は装着されている場合を示している。
【００５０】
即ち、図３に示す登録例においては、番号５ｂ１の番号１に示す映像ファイル４ａは、保護方法５ｂ２として（方法１）の同名ファイル３１により保護され、かつ、特定パターン３１ｂではなく、任意のダミーパターン３１ａによるダミーファイルを保護データ６ａとしてメモリカード６に作成することが設定されている状態にあり、番号２及び３に示す映像ファイル４ａは、共に、保護方法５ｂ２として（方法２）の製造番号３２により保護され、メモリカード６を特定する製造番号３２としてシリアル番号３２ｃが選択され、それぞれのシリアル番号３２ｃとして「１００２６３４９」及び「１００２６５８４」のメモリカード６であることが設定登録されている状態にある。
【００５１】
また、番号４及び５に示す映像ファイル４ａは、共に、保護方法５ｂ２として（方法３）のファイル分割３３により保護され、メモリカード６に保護データ６ａとして書き込まれた分割映像ファイルのファイル名である分割ファイル名が、映像用記憶装置４に録画保存された各映像ファイル４ａのファイル名と同一のファイル名、即ち、それぞれの同一ファイル３３ａ１が、「ＭＯＶＸ０００１．ＡＶＩ」及び「ＭＯＶＸ０００２．ＡＶＩ」であり、かつ、共に、サイズ確認３３ｂがＯＮであり、分割されて保護データ６ａとしてメモリカード６に書き込まれた分割映像ファイルのファイルサイズが「２５６ＫＢ」であることの確認を必要としていることが登録されている状態にある。
【００５２】
なお、図３の登録例においては、メモリカード装着情報５ｂ５に示すように、番号５ｂ１の番号１乃至５の各映像ファイル４ａは、機密保護するためにメモリカード６が装着された状態で録画保存されている機密保護対象の映像ファイルである場合を示し、再生する際には、各映像ファイルの設定プロテクト情報と同一内容からなる保護データ６ａが記録されているメモリカード６、あるいは、各映像ファイルの設定プロテクト情報により指定されている同一の製造番号のメモリカード６を装着しない限り、映像ファイルを再生することができないことを示している。一方、番号６の映像ファイル４ａは、機密保護が不要な映像ファイル４ａとしてメモリカード６が装着されていない状態で録画保存された機密保護対象外の映像ファイルである場合を示し、再生する際に、メモリカード６の装着をすることもなく、当該映像ファイルを再生することが可能であることを示している。
【００５３】
かくのごとく、撮影部１により映像（即ち、動画及び／又は静止画）を撮影した際に、録画再生制御部７は、機密保護用のメモリカード６が装着されている場合には、撮影された映像ファイル４ａを作成して映像用記憶装置４に機密保護対象として録画保存すると共に、図３に示すような映像ファイル４ａに関する機密保護用のプロテクト情報（即ち、予め選択されている機密保護方法に応じて如何なる情報により保護するかを示す情報）を生成して不揮発性メモリ５の設定プロテクト情報５ｂに設定登録し、メモリカード６にもプロテクト解除用の情報を保護データ６ａとして書き込む。更に、ファイル分割３３による保護方法が選択されている場合には、同時に、機密保護用の分割映像ファイルを、映像用記憶装置４の映像ファイル４ａから切り取って着脱可能なメモリカード６に記録する。
【００５４】
一方、ユーザが操作部３を操作して、映像用記憶装置４に録画保存されている映像ファイル４ａを再生する指示をした場合は、録画再生制御部７は、まず、例えば図３のように不揮発性メモリ５の設定プロテクト情報５ｂに設定登録されている当該映像ファイル４ａに関する保護方法を参照する。次いで、参照された当該映像ファイル４ａに関する保護方法に基づいて、再生のために必要とされる保護データ６ａが書き込まれたメモリカード６が装着されているか否かが確認される。装着されたメモリカード６に、再生のために必要とされるプロテクト解除用の保護データ６ａが存在していない場合は、指定された映像ファイル４ａへのアクセスを禁止し、再生読み出し動作を抑止して、機密保護を図る。
【００５５】
次に、各映像の撮影に先立って実施されて、不揮発性メモリ５の設定プロテクト情報５ｂに、図３に示すような機密保護方法が予め設定登録されている場合を前提にして、撮影した映像を映像ファイル４ａとして映像用記憶装置４に録画保存する場合と、映像用記憶装置４に録画保存された映像ファイル４ａの再生指示がなされた場合とにおける映像ファイル４ａの機密保護方法について、本発明に係る撮影装置の一例として図１に示す撮影装置１０即ちカメラ一体型ＶＴＲを例に取って図４乃至図１０のフローチャートを用いて更に詳細に説明する。
【００５６】
まず、撮影した映像を映像ファイル４ａとして映像用記憶装置４に録画保存する場合における映像ファイル４ａの機密保護方法について、図４乃至図６のフローチャートを用いて説明する。ここに、図４は、本発明に係る撮影装置１０の撮影時における動作の一例を示すフローチャートであり、前述した（方法１）による映像ファイル４ａの機密保護方法を説明するためのフローチャートである。また、図５は、本発明に係る撮影装置１０の撮影時における動作の異なる例を示すフローチャートであり、前述した（方法２）による映像ファイル４ａの機密保護方法を説明するためのフローチャートである。また、図６は、本発明に係る撮影装置１０の撮影時における動作の更に異なる例を示すフローチャートであり、前述した（方法３）による映像ファイル４ａの機密保護方法を説明するためのフローチャートである。
【００５７】
まず、図４に示すフローチャートに基づいて、図３に示す不揮発性メモリ５の設定プロテクト情報５ｂの番号１の映像ファイル４ａに示すように、保護方法５ｂ２として（方法１）により機密保護した状態で映像ファイル４ａを映像用記憶装置４に録画保存する場合の動作について説明する。
撮影部１により映像を撮影すると（ステップＳ１１）、録画再生制御部７は撮影した映像ファイル４ａにファイル名（例えば、「ファイル名１」）を付与した後（ステップＳ１２）、機密保護用としてメモリカード６が装着されているか否かを判定する（ステップＳ１３）。メモリカード６が装着されていない場合（ステップＳ１３のＮＯ）、撮影した映像ファイル４ａ「ファイル名１」は機密保護の対象外である旨を示す情報“０”を不揮発性メモリ５の設定プロテクト情報５ｂのメモリカード装着情報５ｂ５に設定登録して（ステップＳ１４）、撮影した映像ファイル４ａを「ファイル名１」として映像用記憶装置４に録画保存するために、ステップＳ１７に移行する。
【００５８】
一方、メモリカード６が装着されていた場合（ステップＳ１３のＹＥＳ）、メモリカード６に対して、まず、ファイル名として、映像ファイル４ａのファイル名と同一の「ファイル名１」を保護データ６ａとして書き込むと共に、図３に示す設定プロテクト情報５ｂの番号１の映像ファイル４ａにおいては、任意のダミーパターンを書き込むことによりダミーファイルを作成することが設定登録されているので、「ファイル名１」のダミーファイルを保護データ６ａとしてメモリカード６上に作成する（ステップＳ１５）。次いで、撮影した映像ファイル４ａ「ファイル名１」は、（方法１）による機密保護の対象である旨を示す情報“１”を不揮発性メモリ５の設定プロテクト情報５ｂのメモリカード装着情報５ｂ５に設定登録した後（ステップＳ１６）、撮影した映像ファイル４ａを「ファイル名１」として映像用記憶装置４に録画保存する（ステップＳ１７）。
【００５９】
なお、前述したように、（方法１）即ち「同名ファイル」により機密保護を行なう場合、再生指示がなされた際に、メモリカード６に保護データ６ａとして書き込まれたファイル内容のチェック方法としては、メモリカード６のファイルの中身は全くチェックせずにファイル名のみで判断する方法や、メモリカード６のファイル内に設定登録されている特定パターン（特定の文字列）が書き込まれており、該特定パターンが、設定プロテクト情報５ｂの設定データ５ｂ３に設定登録されている特定パターンと一致しない限り、映像ファイル４ａのプロテクトを解除しない方法や、メモリカード６の空き容量の節約のために無意味なダミーパターンを用いたダミーファイルを書き込み、該ダミーファイルのファイル名のみで判断する方法などを用いることができるが、図４に示すフローチャートにおいては、ダミーファイルを作成する場合を示している。
【００６０】
次に、図５に示すフローチャートに基づいて、図３に示す不揮発性メモリ５の設定プロテクト情報５ｂの番号２の映像ファイル４ａに示すように、保護方法５ｂ２として（方法２）により機密保護した状態で映像ファイル４ａを映像用記憶装置４に録画保存する場合の動作について説明する。
撮影部１により映像を撮影すると（ステップＳ２１）、録画再生制御部７は、機密保護用としてメモリカード６が装着されているか否かを判定する（ステップＳ２２）。メモリカード６が装着されていない場合（ステップＳ２２のＮＯ）、撮影した映像ファイル４ａは機密保護の対象外である旨を示す情報“０”を不揮発性メモリ５の設定プロテクト情報５ｂのメモリカード装着情報５ｂ５に設定登録して（ステップＳ２３）、撮影した映像ファイル４ａを映像用記憶装置４に録画保存するために、ステップＳ２７に移行する。
【００６１】
一方、メモリカード６が装着されていた場合（ステップＳ２２のＹＥＳ）、設定プロテクト情報５ｂの設定データ５ｂ３に設定登録されている製造番号種別情報（図３に示す設定プロジェクト情報５ｂの番号２ではシリアル番号を指定している）を参照して、装着されているメモリカード６の製造番号として予め記録されているシリアル番号（製造番号の一つ）を読み出して取得して（ステップＳ２４）、図３に示す設定プロテクト情報５ｂの番号２の映像ファイル４ａに対応する設定データ５ｂ３として、取得したメモリカード６の製造番号を設定登録する（ステップＳ２５）。次いで、撮影した映像ファイル４ａは、（方法２）による機密保護の対象である旨を示す情報“１”を不揮発性メモリ５の設定プロテクト情報５ｂのメモリカード装着情報５ｂ５に設定登録した後（ステップＳ２６）、撮影した映像ファイル４ａを映像用記憶装置４に録画保存する（ステップＳ２７）。
【００６２】
なお、前述したように、（方法２）即ち「メモリカード６の製造番号」により機密保護を行なう場合、保護データ６ａの一つとして用いるメモリカード６の製造番号としては、装着されているメモリカード６を一意に特定可能な図３に示すようなシリアル番号（製造番号１）を予め設定プロテクト情報５ｂとして設定登録する場合のみに限るものではなく、例えば、装着されているメモリカード６の製造元を示すメーカ名とメモリカード６の種類を示す型番とに関する情報（製造番号２）を、更に、装着されているメモリカード６のメーカ名のみに関する情報（製造番号３）を予め設定プロテクト情報５ｂとして設定登録したりすることも可能であり、図５に示したようにシリアル番号即ち製造番号１を設定登録している場合は、録画保存の際に装着していたメモリカード６を紛失すると、録画保存した映像ファイル４ａは二度と再生できなくなってしまうが、製造番号２や製造番号３を設定登録している場合は、代替のメモリカード６を用意して装着すれば、録画保存した映像ファイル４ａを再生することができる。
【００６３】
次に、図６に示すフローチャートに基づいて、図３に示す不揮発性メモリ５の設定プロテクト情報５ｂの番号４の映像ファイル４ａに示すように、保護方法５ｂ２として（方法３）により機密保護した状態で映像ファイル４ａを映像用記憶装置４に録画保存する場合の動作について説明する。
撮影部１により映像を撮影すると（ステップＳ３１）、録画再生制御部７は、機密保護用としてメモリカード６が装着されているか否かを判定する（ステップＳ３２）。メモリカード６が装着されていない場合（ステップＳ３２のＮＯ）、撮影した映像ファイル４ａは機密保護の対象外である旨を示す情報“０”を不揮発性メモリ５の設定プロテクト情報５ｂのメモリカード装着情報５ｂ５に設定登録して（ステップＳ３３）、撮影した映像ファイル４ａを映像用記憶装置４に録画保存するために、ステップＳ４０に移行する。
【００６４】
一方、メモリカード６が装着されていた場合（ステップＳ３２のＹＥＳ）、まず、撮影された映像ファイル４ａの一部例えば先頭部分（ユーザにより予め選択された所定のサイズ分の先頭部分）を切り取って、装着されているメモリカード６に保護データ６ａとして分割して書き込むべき分割映像ファイルを生成する（ステップＳ３４）。次いで、メモリカード６に書き込む分割映像ファイルのファイル名即ち分割ファイル名として、映像用記憶装置に録画保存する先頭部分がない映像ファイル４ａのファイル名と同一のファイル名を設定するか否かを図３に示す設定プロテクト情報５ｂの番号４の映像ファイル４ａに対応する設定データ５ｂ３に基づいて判定する（ステップＳ３５）。
【００６５】
同一のファイル名を設定する指定がなされていた場合は（ステップＳ３５のＹＥＳ）、ステップＳ３７に直ちに移行するが、同一のファイル名を設定しない指定がなされていた場合（ステップＳ３５のＮＯ）、設定プロテクト情報５ｂの番号４の映像ファイル４ａに対応する設定データ５ｂ３に基づく変換方法（即ち、予め定められた特定の規則に従って変換する特定変換ファイル名、乱数を用いてランダムに変換するランダム変換ファイル名のいずれかの変換方法）によって、映像ファイル４ａのファイル名を変換して、分割映像ファイルのファイル名即ち分割ファイル名を生成する（ステップＳ３６）。次いで、分割映像ファイルに付与すべき分割ファイル名を不揮発性メモリ５の設定プロテクト情報５ｂの設定データ５ｂ３に設定登録した後（ステップＳ３７）、メモリカード６に保護データ６ａとして該分割ファイル名を付して分割映像ファイル（即ち、映像ファイル４ａから分割した映像ファイル）を書き込む（ステップＳ３８）。
【００６６】
次いで、撮影した映像ファイル４ａは、（方法３）による機密保護の対象である旨を示す情報“１”を不揮発性メモリ５の設定プロテクト情報５ｂのメモリカード装着情報５ｂ５に設定登録した後（ステップＳ３９）、撮影した映像ファイル４ａのうち一部例えば先頭部分がない残りの映像ファイル４ａを映像用記憶装置４に録画保存する。一方、ステップＳ３３から移行してきた場合は、撮影した映像ファイル４ａそのものを映像用記憶装置４に録画保存する（ステップＳ４０）。
【００６７】
なお、（方法３）即ち「ファイル分割」により機密保護を行なう場合、メモリカード６に保護データ６ａとして分割して書き込む分割映像ファイルのファイル名即ち分割ファイル名として、図６のフローチャートに示すように、映像用記憶装置４に録画保存する映像ファイル４ａと同一のファイル名を付与することも可能であるし、映像ファイル４ａのファイル名を予め定められた特定の規則に従って変換したり、乱数を用いてランダムに変換したりすることにより、分割ファイル名に対する機密性をより向上させることが可能である。
更には、図６のフローチャートには示していないが、分割映像ファイルのファイルサイズを分割サイズ情報として設定プロテクト情報５ｂの設定サイズ５ｂ４に設定登録することも可能であり、メモリカード６に書き込む分割映像ファイルを別途作成してメモリカード６に書き込んで装着したとしても、設定サイズ５ｂ４に設定登録した分割サイズ情報と完全に一致しない限り、映像用記憶装置４に録画保存した映像ファイル４ａを再生することができない状態に設定して、機密性を更に向上させることも可能である。
【００６８】
ここで、前述のように、例えば、ＭＰＥＧフォーマットに準拠している場合、撮影した映像ファイル４ａから切り取る部分を該映像ファイル４ａの先頭部分とし、残りの映像ファイル４ａを映像用記憶装置４に録画保存することにより、たとえ、映像用記憶装置４に録画保存した映像ファイル４ａを再生する操作が行なわれたとしても、先頭部分がない残りの映像ファイル４ａ単独では全く再生することはできなく、メモリカード６に保護データ６ａの分割映像ファイルとして書き込まれている該映像ファイル４ａの先頭部分と合成して、初めて再生することが可能となる。なお、メモリカード６の残り容量を節約するために、メモリカード６に書き込む分割映像ファイルは、残りの映像ファイル４ａ単独では再生不可能となる最小の容量に抑えることが望ましい。
【００６９】
次に、映像用記憶装置４に録画保存されている映像ファイル４ａを再生する場合における映像ファイル４ａの機密保護方法について、図７乃至図１０のフローチャートを用いて説明する。ここに、図７は、本発明に係る撮影装置１０の再生時における動作の概略を示すフローチャートであり、ユーザが操作部３を操作して映像用記憶装置４に録画保存されている映像ファイル４ａの再生指示を行なった場合の動作の概略を説明するためのフローチャートである。また、図８は、本発明に係る撮影装置１０の再生時における動作の一例を示すフローチャートであり、前述した（方法１）による映像ファイル４ａの機密保護方法を説明するためのフローチャートである。また、図９は、本発明に係る撮影装置１０の再生時における動作の異なる例を示すフローチャートであり、前述した（方法２）による映像ファイル４ａの機密保護方法を説明するためのフローチャートである。また、図１０は、本発明に係る撮影装置１０の再生時における動作の更に異なる例を示すフローチャートであり、前述した（方法３）による映像ファイル４ａの機密保護方法を説明するためのフローチャートである。
【００７０】
まず、図７に示すフローチャートに基づいて、ユーザが操作部３を操作して映像用記憶装置４に録画保存されている映像ファイル４ａの再生指示がなされた場合に、図３に示す不揮発性メモリ５の設定プロテクト情報５ｂに基づいて再生を行なう動作についてその概略動作を説明する。
まず、ユーザが、操作部３を操作して、ファイル名、又は、設定プロテクト情報５ｂの番号５ｂ１に示すような、再生すべき映像ファイル２ａを識別可能な情報を指定することにより、録画保存されている映像用記憶装置４の映像ファイル４ａを指定して再生指示を行なうと（ステップＳ５１）、設定プロテクト情報５ｂのメモリカード装着情報５ｂ５を参照して、該映像ファイル４ａが保護されている対象の映像ファイルであるか否かを判定する（ステップＳ５２）。設定プロテクト情報５ｂのメモリカード装着情報５ｂ５が“０”であり、機密保護が設定されていない映像ファイル４ａの場合（ステップＳ５２のＮＯ）、映像用記憶装置４から指定されている映像ファイル４ａが直ちに読み出されて、例えば表示部２への画面表示が開始される（ステップＳ５３）。
【００７１】
一方、設定プロテクト情報５ｂのメモリカード装着情報５ｂ５が“１”であり、機密保護が設定されている映像ファイル４ａの場合（ステップＳ５２のＹＥＳ）、機密保護の設定解除用の保護データ６ａ（プロテクト設定解除ファイル）が書き込まれているメモリカード６が装着されているか否かを判定する（ステップＳ５４）。メモリカード６が装着されていない場合（ステップＳ５４のＮＯ）、指定された映像ファイル４ａの再生を行なうことができないものとして再生を禁止する（ステップＳ５５）。
【００７２】
一方、メモリカード６が装着されていた場合（ステップＳ５４のＹＥＳ）、指定されている映像ファイル４ａに関する設定プロテクト情報５ｂの保護方法５ｂ２を参照して、当該映像ファイル４ａがどの保護方法によって機密保護されているか判定する（ステップＳ５６）。当該映像ファイル４ａが前述した（方法１）の「同名ファイル」により保護されている場合、同名ファイルに基づく再生処理（ステップＳ５７）に移行して、図８に示す再生処理用のフローチャートが起動され、当該映像ファイル４ａが前述した（方法２）のメモリカード６の「製造番号」により保護されている場合、メモリカード６の製造番号に基づく再生処理（ステップＳ５８）に移行して、図９に示す再生処理用のフローチャートが起動され、当該映像ファイル４ａが前述した（方法３）の「ファイル分割」により保護されている場合、ファイル分割に基づく再生処理（ステップＳ５９）に移行して、図１０に示す再生処理用のフローチャートが起動される。
【００７３】
次に、図７で説明したステップＳ５７により起動される図８に示すフローチャートに基づいて、図３に示す不揮発性メモリ５の設定プロテクト情報５ｂの番号１の映像ファイル４ａに示すように、保護方法５ｂ２として（方法１）により機密保護した状態で映像用記憶装置４に録画保存されている映像ファイル４ａを再生する場合の動作について説明する。
まず、装着されているメモリカード６に保護データ６ａとして書き込まれているプロテクト設定解除ファイルを、映像用記憶装置４の当該映像ファイル４ａのファイル名に基づいて検索する（ステップＳ６１）。
【００７４】
映像用記憶装置４の当該映像ファイル４ａのファイル名と同一のファイル名がメモリカード６の保護データ６ａとして書き込まれているか否かを判定し（ステップＳ６２）、同一のファイル名が書き込まれていない場合（ステップＳ６２のＮＯ）、指定された当該映像ファイル４ａの再生を行なうことができないものとして再生を禁止する（ステップＳ６３）。
一方、メモリカード６の保護データ６ａとして同一のファイル名が書き込まれていた場合（ステップＳ６２のＹＥＳ）、メモリカード６にはファイルの中身のチェックが不要なダミーファイルが書き込まれている旨が設定プロテクト情報５ｂに設定登録されているので、当該映像ファイル４ａのプロテクトを解除するための条件が成立したものと判断して、映像用記憶装置４から指定されている当該映像ファイル４ａが直ちに読み出されて、例えば表示部２への画面表示が開始される（ステップＳ６４）。
【００７５】
なお、（方法１）即ち「同名ファイル」により機密保護を行なう場合、再生指示がなされた際に、図８のフローチャートに示すように、メモリカード６のファイルの中身は全くチェックせずにファイル名のみで判断する方法を用いることも可能であるが、設定プロテクト情報５ｂの設定データ５ｂ３に設定登録されている特定パターン（特定の文字列）からなるファイルが保護データ６ａとしてメモリカード６に書き込まれており、メモリカード６のファイル名のみでなく、該特定パターンが、設定プロテクト情報５ｂの設定データ５ｂ３に設定登録されている特定パターンと一致しない限り、映像ファイル４ａのプロテクトを解除しない方法を用いることもできる。
しかし、いずれの方法を用いる場合であっても、録画保存の際に装着されていたメモリカード６を紛失していた場合でも、代替のメモリカード６に同一の保護データ６ａ（ファイル名や特定パターン）を書き込み直すことによって、映像ファイル４ａを再生することが可能である。
【００７６】
次に、図７で説明したステップＳ５８により起動される図９に示すフローチャートに基づいて、図３に示す不揮発性メモリ５の設定プロテクト情報５ｂの番号２の映像ファイル４ａに示すように、保護方法５ｂ２として（方法２）により機密保護した状態で映像用記憶装置４に録画保存されている映像ファイル４ａを再生する場合の動作について説明する。
まず、不揮発性メモリ５の設定プロテクト情報５ｂの設定データ５ｂ３に設定登録されているメモリカード６の製造番号種別情報（図３に示す設定プロテクト情報５ｂの番号２ではシリアル番号を指定している）を参照して、装着されているメモリカード６の製造番号として記録されているシリアル番号（製造番号の一つ）を読み出して取得する（ステップＳ７１）。
【００７７】
次いで、当該映像ファイル４ａに関して、設定プロテクト情報５ｂの設定データ５ｂ３に設定登録されているメモリカード６のシリアル番号（即ち、当該映像ファイル４ａを映像用記憶装置４に録画保存する際に装着されていたメモリカード６のシリアル番号）と同一のシリアル番号のメモリカード６であるか否かを判定し（ステップＳ７２）、同一のシリアル番号のメモリカード６ではない場合（ステップＳ７２のＮＯ）、指定された当該映像ファイル４ａの再生を行なうことができないものとして再生を禁止する（ステップＳ７３）。
一方、同一のシリアル番号のメモリカード６であった場合（ステップＳ７２のＹＥＳ）、当該映像ファイル４ａのプロテクトを解除する条件が成立したものと判断して、映像用記憶装置４から指定されている当該映像ファイル４ａが直ちに読み出されて、例えば表示部２への画面表示が開始される（ステップＳ７４）。
【００７８】
なお、（方法２）即ち「メモリカード６の製造番号」により機密保護を行なう場合、メモリカード６の製造番号としては、図９のフローチャートに示すような、装着されているメモリカード６を一意に特定可能なシリアル番号（製造番号１）を予め設定プロテクト情報５ｂとして設定登録する場合のみに限るものではなく、例えば、装着されているメモリカード６の製造メーカを示すメーカ名とメモリカード６の種類を示す型番とに関する情報（製造番号２）を、更に、装着されているメモリカード６のメーカ名のみに関する情報（製造番号３）を予め設定プロテクト情報５ｂとして設定登録したりすることも可能であり、製造番号２や製造番号３を設定登録している場合には、録画保存する際に装着されていたメモリカード６に代わるメモリカード６を装着して録画保存した映像ファイル４ａを再生することができる。
【００７９】
次に、図７で説明したステップＳ５９により起動される図１０に示すフローチャートに基づいて、図３に示す不揮発性メモリ５の設定プロテクト情報５ｂの番号４の映像ファイル４ａに示すように、保護方法５ｂ２として（方法３）により機密保護した状態で映像用記憶装置４に録画保存されている映像ファイル４ａを再生する場合の動作について説明する。
まず、指定されている映像ファイル４ａに関して、不揮発性メモリ５の設定プロテクト情報５ｂの設定データ５ｂ３からメモリカード６に書き込まれた分割映像ファイルのファイル名即ち分割ファイル名として設定登録されている情報を読み出して取得する（ステップＳ８１）。
【００８０】
次いで、装着されているメモリカード６に書き込まれている分割映像ファイルのファイル名即ち分割ファイル名を読み出して、設定データ５ｂ３に設定登録されていたファイル名と同一のファイル名であるか否かを判定し（ステップＳ８２）、同一のファイル名ではない場合（ステップＳ８２のＮＯ）、指定された当該映像ファイル４ａの再生を行なうことができないものとして再生を禁止する（ステップＳ８３）。
一方、同一のファイル名であった場合（ステップＳ８２のＹＥＳ）、当該映像ファイル４ａのプロテクトを解除する条件が成立し、メモリカード６内の分割映像ファイルと映像用記憶装置４に録画保存されている当該映像ファイル４ａとが連続した一つの映像ファイルであるものとみなして、メモリカード６内の分割映像ファイルと映像用記憶装置４内の映像ファイル４ａとが合成されて、例えば表示部２への画面表示が開始される（ステップＳ８４）。
【００８１】
なお、前述の図１０及び図６のフローチャートにおいては、映像用記憶装置４に録画保存する映像ファイル４ａと同一のファイル名の場合についても、設定プロテクト情報５ｂの設定データ５ｂ３に分割映像ファイルのファイル名即ち分割ファイル名が設定登録される場合について説明したが、かかる場合にあっては、設定プロテクト情報５ｂの設定データ５ｂ３には分割ファイル名そのものではなく、分割映像ファイルは映像ファイル４ａと同一ファイル名である旨の情報のみを設定登録し、図８及び図４の場合と同様に、映像用記憶装置４に録画保存されている映像ファイル４ａのファイル名を読み出してそのまま用いることとしても勿論構わない。
【００８２】
更には、図１０には示していないが、（方法３）即ち「ファイル分割」においては、前述のように、分割映像ファイルのファイルサイズを分割サイズ情報として設定プロテクト情報５ｂの設定サイズ５ｂ４に設定登録しておき、再生の際に照合して再生の可否を判定することにより、機密性を更に向上させることも可能である。
また、前述のように、（方法３）即ち「ファイル分割」においては、撮影した映像ファイル４ａから該映像ファイル４ａの一部例えば先頭部分が切り取られた残りの部分を映像用記憶装置４に録画保存しており、一部例えば先頭部分が切り取られた残りの映像ファイル４ａのみを単独では全く再生することはできなく、メモリカード６に保護データ６ａとして書き込まれている分割映像ファイル（即ち、当該映像ファイル４ａから切り取った一部例えば先頭部分の映像ファイル）と合成して連続的に再生することにより、初めて再生することが可能となるものであり、メモリカード６に書き込むべき分割映像ファイルは、切り取られた残りの映像ファイル４ａ単独では再生不可能となる最小の容量に抑えるように構成される。
【００８３】
以上の図４乃至図１０のフローチャートに示したように、本発明に係る録画装置及び撮影装置においては、映像用記憶装置４に録画保存する際に、不揮発性メモリ５の設定プロテクト情報５ｂに機密保護用のプロテクト情報として保護方法５ｂ２（即ち、（方法１）、（方法２）、（方法３））や、設定データ５ｂ３（即ち、（方法１）の場合の特定パターン、（方法２）の場合のシリアル番号や製造メーカ名や型番など、（方法３）の場合の分割映像ファイルの分割ファイル名など）や、設定サイズ５ｂ４（即ち、（方法３）の場合の分割映像ファイルのファイルサイズを示す分割サイズ情報など）を設定登録すると共に、装着されているメモリカード６にプロテクトの設定解除条件となる保護データ６ａ（即ち、（方法１）の場合のファイル名を含むダミーパターンファイルや特定パターンファイル、（方法２）の場合のシリアル番号や製造メーカ名や型番など、（方法３）の場合の分割ファイル名、更に、場合によっては、分割サイズ情報を含む分割映像ファイル）を書き込むことにより、映像ファイルの再生の際に、装着されるメモリカード６の保護データ６ａと不揮発性メモリ５の設定プロテクト情報５ｂとを用いて、ユーザが予め選択した機密保護方法や機密保護レベルに応じて、機密保護の設定を解除するか否かを判定することを可能としている。
【００８４】
もって、（方法１）や（方法２）を選択した場合においては、たとえ、録画保存の際に装着していたメモリカード６を紛失するような事態が発生したとしても、代わりのメモリカード６を用いて、保護データ６ａを作成し直すことにより、録画保存されている機密保護対象の映像ファイル４ａを再生することも可能であり、操作が簡単で、かつ、実装も容易であり、コストメリットも高く、家庭用、業務用いずれの用途であっても、録画保存した映像ファイルに対する機密性を確保可能な録画装置及び撮影装置を実現することができる。
【００８５】
なお、図２に示した設定項目保護２０を用いて、不揮発性メモリ５の設定プロテクト情報５ｂに設定登録されている情報を参照したり、書き換えたりする際には、パスワードによる認証を事前に行なうこととすれば、設定プロテクト情報５ｂに対する機密性も高まり、映像ファイル４ａに対する機密性がより向上する。
即ち、設定プロテクト情報５ｂをパスワードにより保護して、正しいパスワードを知らない限りアクセス不可能な状態に設定することにより、第三者が撮影装置１０の映像用記憶装置４に録画保存されている映像ファイル４ａを見ようとして、例えばパーソナルコンピュータＰＣのような作成装置を用いて、たとえ、映像ファイル４ａの機密保護を解除するために用いる保護データ６ａを作成しようとしても、映像ファイル４ａに対するプロテクト情報を特定することができる（即ち機密保護を解除することができる）保護データ６ａを作成するまでには長時間が必要となる。
【００８６】
また、設定プロテクト情報５ｂをパスワードにより保護して、アクセス不可能な状態に設定することにより、パスワードを知らない第三者によって設定プロテクト情報５ｂを変更されて、機密保護がなされていない状態、あるいは、メモリカード６に書き込まれている保護データ６ａにより機密保護が解除されるような状態に書き換えられてしまうことも防止可能であり、映像用記憶装置４内に録画保存されている映像ファイル４ａが第三者に見られてしまう事態をより確実に防ぐことができる。
【００８７】
更には、前述の実施例においては、保護データ６ａを書き込む着脱自在な保護データ用記録媒体として、メモリカード６を用いる場合を示しているが、メモリカード６の代わりに、例えば、ＩＣカードを用いても良い。ＩＣカードを用いる場合、着脱自在な保護データ用記録媒体に書き込まれている保護データ６ａそのものに関する機密性を更に向上させることも可能であり、例えば、第三者のパーソナルコンピュータＰＣのような装置にＩＣカードを装着しても保護データ６ａそのものを読み取ることができないように暗号化するようにしても良い。
【００８８】
なお、以上の実施例においては、本発明に係る録画装置及び撮影装置として、映像ファイルを録画保存する録画装置１５が備えられた撮影装置１０即ちカメラ一体型ＶＴＲを例に取って説明したが、以上の説明からも明らかなように、本発明に係る録画装置及び撮影装置はかかる場合に限るものではなく、例えば、カメラとは一体化されていない録画装置単体であっても良く、映像用記憶装置４としてノンリニアアクセス可能なＨＤＤを用いた据え置き型の録画装置であっても有効である。また、例えば、本発明に係る録画装置及び撮影装置を家族で共用して使用するような場合であっても、撮影した映像ファイル２を録画保存する際に、各人が自分専用のメモリカード６を装着し、録画保存が終了した際に装着していたメモリカード６を装置本体から離脱することにより、各人それぞれが録画保存した映像ファイル４ａを他の人に見られてしまうことを防ぐことができる。
【００８９】
【発明の効果】
本発明に係る録画装置及び撮影装置によれば、例えばカメラで機密性が高い映像を撮影している最中に中座したとしても、機密保護状態の設定解除を行なうための保護データを書き込んでいるメモリカードを装置本体から離脱するだけで、録画保存した映像の機密保護を行なうことができ、第三者に撮影した映像を見られてしまうことはなく、復帰した際にメモリカードを装置本体に装着し直すだけで機密保護状態を解除することができる。
【００９０】
また、録画保存の際に装着していたメモリカードを紛失するような事態が発生した場合であっても、ユーザ設定により機密保護方法や機密保護レベルとして代替のメモリカードを使用可能な機密保護方法や機密保護レベルに予め設定登録しておくことが可能であり、例えばパーソナルコンピュータＰＣにより代替のメモリカード上に機密保護状態を解除するための保護データを作成し直して装着すれば、録画保存した映像ファイルを再生することが可能となり、操作が簡単で、かつ、実装も容易であり、コストメリットも高く、家庭用、業務用いずれの用途であっても、録画保存した映像ファイルに対する機密性を確保可能な録画装置及び撮影装置を提供することができる。
【図面の簡単な説明】
【図１】本発明に係る撮影装置の一実施例を示すブロック構成図である。
【図２】ユーザが設定プロテクト情報に機密保護方法や機密保護レベルを選択設定するために順次メニュー表示される案内用選択項目の一例を示す概念図である。
【図３】図２に示すメニュー表示の案内用選択項目に従って、ユーザが不揮発性メモリに設定登録した設定プロテクト情報の登録例を示すメモリ構成図である。
【図４】本発明に係る撮影装置の撮影時における動作の一例を示すフローチャートである。
【図５】本発明に係る撮影装置の撮影時における動作の異なる例を示すフローチャートである。
【図６】本発明に係る撮影装置の撮影時における動作の更に異なる例を示すフローチャートである。
【図７】本発明に係る撮影装置の再生時における動作の概略を示すフローチャートである。
【図８】本発明に係る撮影装置の再生時における動作の一例を示すフローチャートである。
【図９】本発明に係る撮影装置の再生時における動作の異なる例を示すフローチャートである。
【図１０】本発明に係る撮影装置の再生時における動作の更に異なる例を示すフローチャートである。
【符号の説明】
１…撮影部、２…表示部、３…操作部、４…映像用記憶装置、４ａ…映像ファイル（被プロテクトファイル）、５…不揮発性メモリ（設定プロテクト情報用記憶装置）、５ａ…プロテクト情報テーブル、５ｂ…設定プロテクト情報、５ｂ１…番号、５ｂ２…保護方法、５ｂ３…設定データ、５ｂ４…設定サイズ、５ｂ５…メモリカード装着情報、６…メモリカード（保護データ用記録媒体）、６ａ…保護データ（プロテクト設定解除ファイル）、７…録画再生制御部（設定プロテクト情報作成・再生判断部）、１０…撮影装置、１５…録画装置、２０…設定項目保護、３０…保護方法、３１…同名ファイル、３１ａ…ダミーパターン、３１ｂ…特定パターン、３２…製造番号、３２ａ…メーカ名、３２ｂ…型番、３２ｃ…シリアル番号、３３…ファイル分割、３３ａ…分割ファイル名、３３ａ１…同一ファイル名、３３ａ２…特定変換ファイル名、３３ａ３…ランダム変換ファイル名、３３ｂ…サイズ確認。
【図１】
2005026787.tif 000003
【図２】
2005026787.tif 000004
【図３】
2005026787.tif 000005
【図４】
2005026787.tif 000006
【図５】
2005026787.tif 000007
【図６】
2005026787.tif 000008
【図７】
2005026787.tif 000009
【図８】
2005026787.tif 000010
【図９】
2005026787.tif 000011
【図１０】
2005026787.tif 000012